(57)【要約】【課題】端末装置のユーザに対する利便性を高めることが可能な印刷装置を提供する。【解決手段】印刷装置は携帯型の端末装置と無線により通信することが可能である。端末装置には、無線により印刷装置に画像データを送信する送信機能が設定されるとともに、送信機能が設定されたことに応じて、当該送信機能が設定されていることを示す設定情報が、端末装置に装着されている着脱可能な記録メディアに作成される。印刷装置は、メディア読込装置のスロット部に記録メディアが挿入されると（ステップＳ１０１０においてＹＥＳ）、その記録メディアから情報を読込む（ステップＳ１０２０）。印刷装置はさらに、記録メディアに設定情報が存在するか否かを判定し、その判定結果が肯定であると（ステップＳ１０５０においてＹＥＳ）、端末装置のユーザに対して送信機能が設定されていることを通知する（ステップＳ１０６０）。【選択図】図５
2016066869.tif 000002
【特許請求の範囲】
【請求項１】
携帯型の端末装置と無線により通信することが可能な印刷装置であって、
前記端末装置には、無線により前記印刷装置に画像データを送信する送信機能が設定されるとともに、前記送信機能が設定されたことに応じて、当該送信機能が設定されていることを示す設定情報が、前記端末装置に装着されている着脱可能な外部記憶媒体に作成され、
前記印刷装置は、
着脱可能な外部記憶媒体を保持するための保持手段と、
前記保持手段に外部記憶媒体が保持されたことに応答して、保持された前記外部記憶媒体に記憶されている情報を読込むための読込手段と、
前記保持された外部記憶媒体に前記設定情報が存在するか否かを判定するための判定手段と、
前記判定手段の判定結果が肯定であることに応答して、前記送信機能が設定されていることを通知するための機能設定済通知手段と、
前記読込手段が前記外部記憶媒体から読込んだ画像データ、及び前記端末装置から前記送信機能によって送信された画像データに基づいて記録用紙に画像を形成するための画像形成手段とを含む、印刷装置。
【請求項２】
前記印刷装置はさらに、前記判定手段の判定結果が否定であることに応答して、前記送信機能を設定するよう促す通知を行なうための機能設定通知手段を含む、請求項１に記載の印刷装置。
【請求項３】
前記保持手段は、複数種類の前記外部記憶媒体を保持することが可能であり、
前記印刷装置はさらに、前記保持手段に前記外部記憶媒体が保持されたことに応答して、保持された外部記憶媒体が予め定められた種類の外部記憶媒体か否かを判定するための種類判定手段を含み、
前記判定手段は、前記種類判定手段の判定結果に応じて、前記保持された外部記憶媒体に前記設定情報が存在するか否かを判定するための有無判定手段を含む、請求項１又は請求項２に記載の印刷装置。
【請求項４】
前記種類判定手段は、前記保持手段に前記外部記憶媒体が保持されたことに応答して、保持された外部記憶媒体が前記端末装置に装着可能な大きさのメモリカードか否かを判定するための手段を含み、
前記有無判定手段は、保持された前記外部記憶媒体が前記端末装置に装着可能な大きさのメモリカードであると判定されたことに応答して、保持された前記メモリカードに前記設定情報が存在するか否かを判定するための手段を含む、請求項３に記載の印刷装置。
【請求項５】
前記印刷装置は表示装置をさらに含み、
前記機能設定済通知手段は、前記判定手段の判定結果が肯定であることに応答して、前記送信機能が設定されていることを通知するメッセージを前記表示装置に表示させるための設定済メッセージ表示手段を含み、
前記機能設定通知手段は、前記判定手段の判定結果が否定であることに応答して、前記送信機能を設定するよう促すメッセージを前記表示装置に表示させるための設定メッセージ表示手段を含む、請求項２に記載の印刷装置。
【請求項６】
前記印刷装置はさらに、前記表示装置に表示されたメッセージを消去するためのユーザの指示入力を受付けるための入力受付手段を含む、請求項５に記載の印刷装置。
【発明の詳細な説明】
【技術分野】
【０００１】
本発明は、印刷装置に関し、特に、外部記憶媒体から画像データを読込むことが可能な印刷装置に関する。
【背景技術】
【０００２】
近年、電子機器に対して着脱可能な外部記録媒体（以下「記録メディア」と呼ぶ場合がある。）が普及している。
【０００３】
後掲の特許文献１は、こうした記録メディアを用いる情報処理装置を開示する。特許文献１の情報処理装置は、記録メディアが挿入される記録メディア挿入部を持つ。この情報処理装置には、複数のアプリケーションプログラムがインストールされている。情報処理装置は、記録メディア挿入部に記録メディアが挿入されると、複数のアプリケーションプログラムのなかから記録メディアに利用可能なアプリケーションプログラムを抽出してその一覧を表示する。これにより、アプリケーションプログラムの選択が容易になるため、ユーザの使い勝手が向上する。
【０００４】
また近年、記録メディアの普及に伴い、記録メディアに記憶されているデータを処理するサービスも普及してきている。そうしたサービスの１つに、コンビニエンスストア等の店舗に設置された印刷装置（複合機）を用いたプリントサービスがある。例えば、デジタルカメラで撮影した画像データを記録メディアに記憶し、その記録メディアを印刷装置に装着すると、当該印刷装置が記録メディアに記憶された画像データを読出して印刷する。
【０００５】
こうしたプリントサービスを提供する印刷装置のなかには、スマートフォン等の端末装置と無線通信を行なう機能を備えたものがある。こうした機能を利用すれば、無線通信により端末装置から印刷装置に画像データを送信することが可能となる。この機能を利用するためには、端末装置に、印刷装置で印刷を行なうためのプログラムが予め設定されている必要がある。
【０００６】
例えばスマートフォンから印刷装置に画像データを送信する場合を考える。この場合、印刷装置に画像データを送信するためのアプリケーションプログラム（以下「印刷アプリ」と呼ぶ。）が予めスマートフォンにインストールされていれば、この印刷アプリを用いてスマートフォン内の画像データを印刷装置に送信して印刷できる。さらに、記録メディアを装着可能なスマートフォンであれば、スマートフォンから記録メディアを取外して印刷装置に装着することにより、スマートフォン内の画像データを当該印刷装置で印刷することもできる。
【０００７】
印刷アプリがインストールされていない場合、無線通信によりスマートフォンから印刷装置に画像データを送信することが困難となる。そのため、この場合は、記録メディアを介して、スマートフォン内の画像データが印刷装置で読込まれることになる。一方、印刷アプリがインストールされている場合であっても、インストールされていることをユーザが忘れていたり、印刷アプリの使い方が分からなかったり等の理由により、印刷アプリが利用されないことがある。こうした場合も、記録メディアを介して、スマートフォン内の画像データが印刷装置で読込まれることになる。
【先行技術文献】
【特許文献】
【０００８】
【特許文献１】特開２００８−２１７９５１号公報
【発明の概要】
【発明が解決しようとする課題】
【０００９】
ここで、スマートフォンの電源がＯＮ状態のときに記録メディアが取外されると、記録メディア内のデータが破損するおそれがある。さらに、スマートフォンに装着される記録メディアはサイズが小さいため紛失する危険性もある。そのため、記録メディアを端末装置から取外さずに印刷を行なうのが望ましい。
【００１０】
しかし、端末装置のユーザにとって、自己が所有する端末装置が記録メディアを取外さずに印刷装置で印刷を行なうことが可能な装置であるのかを認識することが難しい。このため、記録メディアを取外して印刷装置に装着して印刷を行なった場合は、次回以降も記録メディアを取外して印刷を行なう可能性が高い。これにより、データの破損、記録メディアの紛失等の危険が生じる可能性がより高くなる。こうした危険を避けるためにユーザはより一層の注意を払うことになるため、ユーザの利便性が低下する。
【００１１】
特許文献１に開示の技術は、記録メディアに利用可能なアプリケーションプログラムを表示するものである。こうした技術を印刷装置に適用することによって、印刷装置に記録メディアが装着されたときに、記録メディアに利用可能なアプリケーションプログラムを表示させることができる。これにより、印刷装置で実行させるアプリケーションプログラムの選択は容易になる。しかし、特許文献１に開示の技術では、上記した危険が生じる可能性を低減することは困難であるため、ユーザの利便性を高めることも困難である。
【００１２】
本発明は、上記のような課題を解決するためになされたものであり、本発明の１つの目的は、端末装置のユーザに対する利便性を高めることが可能な印刷装置を提供することである。
【課題を解決するための手段】
【００１３】
本発明の一の局面に係る印刷装置は、携帯型の端末装置と無線により通信することが可能な印刷装置である。端末装置には、無線により印刷装置に画像データを送信する送信機能が設定されるとともに、送信機能が設定されたことに応じて、当該送信機能が設定されていることを示す設定情報が、端末装置に装着されている着脱可能な外部記憶媒体に作成される。印刷装置は、着脱可能な外部記憶媒体を保持するための保持手段と、保持手段に外部記憶媒体が保持されたことに応答して、保持された外部記憶媒体に記憶されている情報を読込むための読込手段と、保持された外部記憶媒体に設定情報が存在するか否かを判定するための判定手段と、判定手段の判定結果が肯定であることに応答して、送信機能が設定されていることを通知するための機能設定済通知手段と、読込手段が外部記憶媒体から読込んだ画像データ、及び端末装置から送信機能によって送信された画像データに基づいて記録用紙に画像を形成するための画像形成手段とを含む。
【００１４】
印刷装置は、外部記憶媒体が保持されたことに応答して、保持された外部記憶媒体に記憶されている情報を読込む。印刷装置はさらに、保持された外部記憶媒体に、端末装置に送信機能が設定されていることを示す設定情報が存在する否かを判定する。この判定結果が肯定であることに応答して、印刷装置は、送信機能が端末装置に設定されていることを当該端末装置のユーザに通知する。端末装置のユーザは、この通知によって、自己が所有する端末装置が外部記憶媒体を取外さずに印刷装置で印刷を行なうことが可能な装置であることを容易に認識できる。これにより、次回以降は、外部記憶媒体を取外すことなく、端末装置の送信機能を利用して印刷を行なうことが期待できる。したがって、外部記憶媒体の取外しによるデータの破損又は外部記憶媒体の紛失等の危険が生じる可能性が低減する。ユーザはこうした危険を避けるために注意を払う必要がなくなるため、ユーザの利便性が向上する。
【００１５】
好ましくは、印刷装置はさらに、判定手段の判定結果が否定であることに応答して、送信機能を設定するよう促す通知を行なうための機能設定通知手段を含む。
【００１６】
より好ましくは、保持手段は、複数種類の外部記憶媒体を保持することが可能であり、印刷装置はさらに、保持手段に外部記憶媒体が保持されたことに応答して、保持された外部記憶媒体が予め定められた種類の外部記憶媒体か否かを判定するための種類判定手段を含み、判定手段は、種類判定手段の判定結果に応じて、保持された外部記憶媒体に設定情報が存在するか否かを判定するための有無判定手段を含む。
【００１７】
さらに好ましくは、種類判定手段は、保持手段に外部記憶媒体が保持されたことに応答して、保持された外部記憶媒体が端末装置に装着可能な大きさのメモリカードか否かを判定するための手段を含み、有無判定手段は、保持された外部記憶媒体が端末装置に装着可能な大きさのメモリカードであると判定されたことに応答して、保持されたメモリカードに設定情報が存在するか否かを判定するための手段を含む。
【００１８】
さらに好ましくは、印刷装置は表示装置をさらに含み、機能設定済通知手段は、判定手段の判定結果が肯定であることに応答して、送信機能が設定されていることを通知するメッセージを表示装置に表示させるための設定済メッセージ表示手段を含み、機能設定通知手段は、判定手段の判定結果が否定であることに応答して、送信機能を設定するよう促すメッセージを表示装置に表示させるための設定メッセージ表示手段を含む。
【００１９】
さらに好ましくは、印刷装置はさらに、表示装置に表示されたメッセージを消去するためのユーザの指示入力を受付けるための入力受付手段を含む。
【発明の効果】
【００２０】
以上より、本発明によれば、端末装置のユーザに対する利便性を高めることが可能な印刷装置を得ることができる。
【図面の簡単な説明】
【００２１】
【図１】本発明の第１の実施の形態に係る印刷装置の外観を示す図である。
【図２】メディア読込装置の外観を示す図である。
【図３】端末装置の外観を示す図である。
【図４】図１に示す印刷装置のハードウェア構成を示す制御ブロック図である。
【図５】図１に示す印刷装置で実行されるプログラムの制御構造を示すフローチャートである。
【図６】図１に示す印刷装置の操作パネルに表示される初期画面の一例を示す図である。
【図７】図１に示す印刷装置の操作パネルに表示されるメディア選択画面の一例を示す図である。
【図８】図１に示す印刷装置の操作パネルに表示されるガイド画面の一例を示す図である。
【図９】図１に示す印刷装置の操作パネルに表示されるファイル選択画面の一例を示す図である。
【図１０】図１に示す印刷装置の操作パネルに表示されるメッセージ画面の一例を示す図である。
【図１１】本発明の第２の実施の形態に係る印刷装置で実行されるプログラムの制御構造を示すフローチャートである。
【図１２】本発明の第２の実施の形態に係る印刷装置の操作パネルに表示されるメッセージ画面の一例を示す図である。
【図１３】本発明の第３の実施の形態に係る印刷装置で実行されるプログラムの制御構造を示すフローチャートである。
【図１４】本発明の第３の実施の形態に係る印刷装置で実行されるプログラムの制御構造を示すフローチャートである。
【発明を実施するための形態】
【００２２】
以下の実施の形態では、同一の部品には同一の参照番号を付してある。それらの機能及び名称も同一である。したがって、それらについての詳細な説明は繰返さない。
【００２３】
（第１の実施の形態）
図１を参照して、本実施の形態に係る印刷装置５０は、例えば、コピー機能、プリント機能、及びスキャナ機能等を備える複合機（ＭＦＰ：Ｍｕｌｔｉｆｕｎｃｔｉｏｎ  Ｐｅｒｉｐｈｅｒａｌ）である。この印刷装置５０は、コンビニエンスストア等の店舗に設置され、ユーザに対してコピーサービス、プリントサービス等の各種サービスを提供する。なお、この印刷装置５０は、レーザー光を露光に利用する、所謂レーザー方式（電子写真方式）の印刷機能を備える。しかし、他の形式の印刷機能を備えたものであってもよい。
【００２４】
［全体構成］
印刷装置５０は、装置本体１００と、装置本体１００の側方に設置される拡張ユニット２００とを含む。装置本体１００と拡張ユニット２００とは電気的に接続されている。装置本体１００の上部には、原稿が載置される透明ガラスからなる原稿載置台（図示せず。）が設けられている。原稿載置台の下方には、原稿の画像情報を読取る原稿読取部１０２が配置されている。原稿読取部１０２の前方には、操作パネル１０４が設置されている。操作パネル１０４は、ユーザが、印刷装置５０に対して指示を入力するための入力装置である。この操作パネル１０４は指示の入力及び情報の表示等を行なうタッチパネルディスプレイを含む。
【００２５】
原稿読取部１０２の下方には、画像データによって示される画像を記録用紙に印刷するための画像形成部１０６が設けられている。画像形成部１０６の下側には、当該画像形成部１０６に対して記録用紙を給紙するための給紙部１０８が設けられている。この給紙部１０８は、記録用紙を収納する複数の給紙トレイ１０８ａ〜１０８ｄを含む。
【００２６】
拡張ユニット２００は、硬貨及び紙幣を投入することが可能なコインベンダーからなる課金装置２２０を含む。印刷装置５０は、拡張ユニット２００（課金装置２２０）に投入された料金に応じたサービスを提供する。拡張ユニット２００はさらに、写真印刷を行なう写真印刷部２３０、及び携帯型の記録メディアに記憶されているデータを読込むメディア読込装置２４０を含む。写真印刷部２３０は、昇華型のプリンタを含み、例えばＬ版サイズの専用紙に写真画像を形成する。
【００２７】
拡張ユニット２００の上部には、メディア読込装置２４０が設けられている。メディア読込装置２４０は、通常、シャッター部材（カバー）２０２で覆われており、サービスとして利用する際にこのシャッター部材２０２が回動して開放される。メディア読込装置２４０は、メモリカード等の記録メディアに対してデータの読込みを行なう第１のメディア読込装置２４２、及びＣＤ−Ｒ等のディスクタイプの記録メディアに対してデータの読込みを行なう第２のメディア読込装置２４４を含む。
【００２８】
図２を参照して、第１のメディア読込装置２４２は、複数種類の記録メディアに対してデータの読込みが可能である。第１のメディア読込装置２４２は、記録メディアが挿入されるスロット部を含む。スロット部は、記録メディアの種類に応じて複数設けられている。複数のスロット部は、コンパクトフラッシュ（登録商標）又はマイクロドライブ（登録商標）が挿入される第１のスロット部２５０、ｘＤピクチャカード（登録商標）が挿入される第２のスロット部２５２、ＳＤカード（登録商標）又はｍｉｎｉＳＤカード（登録商標）等が挿入される第３のスロット部２５４、スマートメディア（登録商標）が挿入される第４のスロット部２５６、メモリスティック（登録商標）又はメモリスティックＤｕｏ（登録商標）等が挿入される第５のスロット部２５８、及びｍｉｃｒｏＳＤカード（登録商標）が挿入される第６のスロット部２６０を含む。第１のメディア読込装置２４２はさらに、ＵＳＢ（Ｕｎｉｖｅｒｓａｌ  Ｓｅｒｉａｌ  Ｂｕｓ）メモリが接続されるＵＳＢポート２６２、及び赤外線通信を行なうための赤外線端子２６４を含む。第１のスロット部２５０〜第６のスロット部２６０、及びＵＳＢポート２６２には、各記録メディアが着脱可能に保持される。
【００２９】
再び図１を参照して、第２のメディア読込装置２４４は、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＢＤ（Ｂｌｕ−ｒａｙ（登録商標）  Ｄｉｓｃ）等の記録メディアに対してデータの読込みを行なう。第２のメディア読込装置２４４は、ディスクタイプの記録メディアを保持するトレイ、記録メディアを回転駆動させるための駆動機構等（以上いずれも図示せず。）を含む。
【００３０】
印刷装置５０はさらに、携帯型の端末装置と無線通信を行なう機能を持つ。本実施の形態では、印刷装置５０は、Ｗｉ−Ｆｉ等の無線ＬＡＮ（Ｌｏｃａｌ  Ａｒｅａ  Ｎｅｔｗｏｒｋ）回線を介して、携帯型の端末装置と接続される。
【００３１】
図３を参照して、印刷装置５０と無線通信を行なう携帯型の端末装置３００はスマートフォンである。この端末装置３００には、印刷装置５０に画像データを送信するための印刷アプリがインストールされる。端末装置３００では、印刷アプリをインストールすることによって、無線回線を介して印刷装置５０に画像データを送信する送信機能が設定される。端末装置３００は、記録メディアが着脱可能に装着されるメディア装着部３１０を含む。メディア装着部３１０に装着された記録メディアには、画像データを含む各種データが保存される。メディア装着部３１０に装着（挿入）される記録メディア３２０は、例えばｍｉｎｉＳＤカードである。
【００３２】
端末装置３００に印刷アプリがインストールされると、インストールされた印刷アプリは当該印刷アプリ専用の情報をメディア装着部３１０に装着された記録メディア３２０に作成する。具体的には、印刷アプリはメディア装着部３１０に装着された記録メディア３２０に自身専用のフォルダを作成する。
【００３３】
なお、端末装置３００にインストールされる印刷アプリは、インストールされていることを示す情報を記録メディアに作成するアプリケーションプログラムであれば特に制限されない。印刷アプリは、無線通信機能を持つ印刷装置５０に対応していれば、印刷装置５０の専用アプリであってもよいし、他の印刷装置にも利用可能なアプリであってもよい。
【００３４】
［ハードウェア構成］
図４を参照して、印刷装置５０は、拡張ユニット２００、原稿読取部１０２、操作パネル１０４、画像形成部１０６、及び給紙部１０８に加えて、ＣＰＵ（Ｃｅｎｔｒａｌ  Ｐｒｏｃｅｓｓｉｎｇ  Ｕｎｉｔ）１１０、ＲＯＭ（Ｒｅａｄ−Ｏｎｌｙ  Ｍｅｍｏｒｙ）１１２、ＲＡＭ（Ｒａｎｄｏｍ  Ａｃｃｅｓｓ  Ｍｅｍｏｒｙ）１１４、記憶装置１１６、印刷データ解析部１１８、印刷出力制御部１２０、用紙搬送部１２２、課金処理部１２４、及び通信装置１２６を含む。
【００３５】
ＣＰＵ１１０は、印刷装置５０全体を制御する。ＲＯＭ１１２は不揮発性の記憶装置である。ＲＯＭ１１２にはＣＰＵ１１０が印刷装置５０を制御するためのプログラム及びデータが記憶されている。ＲＡＭ１１４は揮発性の記憶装置である。ＣＰＵ１１０はＲＯＭ１１２からプログラムをＲＡＭ１１４に読出し、ＲＡＭ１１４の所定の領域をワークエリアとして使用して、プログラムを実行する。
【００３６】
原稿読取部１０２は、原稿のコピー時又はスキャン時に、原稿載置台に載置される原稿から画像情報を読取り、読取った画像情報を電気信号に変換して画像データ（印刷データ）として印刷データ解析部１１８に対して出力する。
【００３７】
印刷データ解析部１１８は、印刷データの内容を解析し、印刷データの内容に応じて、所定の画像処理を実行する。記憶装置１１６は、不揮発性の記憶装置であり、例えばハードディスク（ＨＤＤ）又はフラッシュメモリを含む。記憶装置１１６は、例えば印刷データ解析部１１８において画像処理が施された印刷データ（画像データ）を記憶する。印刷出力制御部１２０は印刷処理の実行時に、給紙部１０８、用紙搬送部１２２及び画像形成部１０６等を制御する。
【００３８】
給紙部１０８は、給紙トレイ１０８ａ〜１０８ｄに収納されている記録用紙を１枚ずつ引出して記録用紙を画像形成部１０６へと送り出す。用紙搬送部１２２は、画像形成部１０６に設けられた搬送路（図示せず。）に沿って、給紙部１０８から給紙されてきた記録用紙を搬送する。
【００３９】
画像形成部１０６は、画像データによって示される画像をカラー又は単色で記録用紙に印刷するものであって、例えば、感光体ドラム、帯電装置、レーザースキャンユニット（ＬＳＵ）、現像装置、転写装置、クリーニング装置、定着装置、及び除電装置等を含む。
【００４０】
感光体ドラムは、一方向に回転し、その表面は、クリーニング装置と除電装置によりクリーニングされた後、帯電装置により均一に帯電される。レーザースキャンユニットは、印刷対象の画像データに基づいてレーザー光を変調し、このレーザー光によって感光体ドラムの表面を主走査方向に繰返し走査して、静電潜像を感光体ドラムの表面に形成する。現像装置は、トナーを感光体ドラムの表面に供給して静電潜像を現像し、トナー像を感光体ドラムの表面に形成する。転写装置は、転写装置と感光体ドラムとの間を通過していく記録用紙に感光体ドラムの表面のトナー像を転写する。
【００４１】
定着装置は、記録用紙を加熱するための加熱ローラと、記録用紙を加圧するための加圧ローラとを含む。記録用紙は、加熱ローラによって加熱され、かつ、加圧ローラによって加圧されることによって、記録用紙上に転写されたトナー像が記録用紙に定着される。定着装置から排出された（印刷された）記録用紙は排紙トレイに排出される。
【００４２】
課金処理部１２４は、課金装置２２０とのインターフェイスをとる。課金処理部１２４は、課金装置２２０に投入された料金に応じて、課金処理を実行する。
【００４３】
通信装置１２６は、ネットワーク（図示せず。）とのインターフェイスをとる。印刷装置５０は、この通信装置１２６を介して、ネットワーク上の外部装置等と、所定の通信プロトコルにしたがったデータ通信を行なうことができる。通信装置１２６は、携帯型の端末装置３００と無線通信を行なう機能を持つ。
【００４４】
拡張ユニット２００は、拡張ユニット２００全体を制御する制御装置２１０、提供するサービスに応じた金額を徴収する課金装置２２０、写真サービスの提供時に写真印刷を行なう写真印刷部２３０、及び記録メディアからデータを読込むメディア読込装置２４０を含む。
【００４５】
［ソフトウェア構成］
図５を参照して、端末装置のユーザに対して印刷アプリの利用を推奨するために、印刷装置５０で実行されるコンピュータプログラムの制御構造について説明する。
【００４６】
このプログラムは、ユーザの操作に応じて開始する。このプログラムは、メディア読込装置２４０に挿入される記録メディアの種類の選択がされたか否かを判定し、記録メディアの種類が選択されるまで待機するステップＳ１０００と、ステップＳ１０００において、記録メディアの種類が選択されたと判定された場合に実行され、記録メディアがメディア読込装置２４０に挿入されたか否かを判定し、記録メディアが挿入されるまで待機するステップＳ１０１０と、ステップＳ１０１０において、記録メディアが挿入されたと判定された場合に実行され、挿入された記録メディア内の情報を読込むステップＳ１０２０と、ステップＳ１０２０の後に実行され、情報の読込みが完了したか否かを判定し、判定結果に応じて制御の流れを分岐させるステップＳ１０３０とを含む。ステップＳ１０３０において、情報の読込みが完了していないと判定された場合は、制御はステップＳ１０２０に戻る。
【００４７】
このプログラムはさらに、ステップＳ１０３０において、情報の読込みが完了したと判定された場合に実行され、印刷するファイルを選択するためのファイル選択画面を操作パネル１０４に表示するステップＳ１０４０と、ステップＳ１０４０の後に実行され、挿入された記録メディア内に、印刷アプリが作成した当該印刷アプリ専用の情報（印刷アプリ専用のフォルダ）が存在するか否かを判定し、判定結果に応じて制御の流れを分岐させるステップＳ１０５０と、ステップＳ１０５０において、挿入された記録メディア内に印刷アプリが作成したフォルダが存在すると判定された場合に実行され、印刷アプリがインストールされていることを通知するメッセージ画面を操作パネル１０４に表示するステップＳ１０６０と、ステップＳ１０６０の後に実行され、メッセージ画面を消去する（閉じる）ための操作、すなわち、後述する「とじる」ボタンの操作がされたか否かを判定し、「とじる」ボタンの操作がされるまで待機するステップＳ１０７０と、ステップＳ１０７０において、「とじる」ボタンの操作がされたと判定された場合に実行され、メッセージ画面を消去するステップＳ１０８０と、ステップＳ１０５０において、挿入された記録メディア内に印刷アプリが作成したフォルダが存在しないと判定された場合、又は、ステップＳ１０８０の後に実行され、ユーザの操作に応じて印刷処理を実行しこのプログラムを終了するステップＳ１０９０とを含む。
【００４８】
［動作］
本実施の形態に係る印刷装置５０は以下のように動作する。以下の説明では、印刷装置５０の動作の内、本発明に関連する部分のみを説明する。他の動作は従来の印刷装置の動作と同様である。
【００４９】
端末装置３００のユーザは、端末装置３００内の画像データを印刷するために印刷装置５０が設置されている店舗に出向き、印刷装置５０のそばに居るものとする。端末装置３００に装着されている記録メディアには、ユーザが印刷したい画像データが記憶されている。
【００５０】
印刷装置５０の操作パネル１０４には、図６に示す初期画面４００が表示されている。初期画面４００は、コピーサービスを開始するための「コピー」ボタン４０２、ファックスサービスを開始するための「ファックス」ボタン４０４、写真サービスを開始するための「写真サービス」ボタン４０６、プリントサービスを開始するための「プリントサービス」ボタン４０８、及びスキャンサービスを開始するための「スキャンサービス」ボタン４１０を含む。これらはいずれもソフトウェアボタンである。初期画面４００に表示されているボタン４０２〜４１０のいずれかが操作されると、印刷装置５０は、操作されたボタンに応じたサービスを開始する。
【００５１】
端末装置３００のユーザは、画像データを印刷するために「プリントサービス」ボタン４０８を操作したとする。画面は、図７に示すメディア選択画面４２０に遷移する。メディア選択画面４２０は、メディア読込装置２４０に挿入する記録メディアの種類を選択するための画面である。このメディア選択画面４２０は、所望の記録メディアを選択するための複数の選択ボタン、及び無線通信によりスマートフォンから画像データを受信するモードを選択するための無線通信ボタン４２２を含む。選択ボタンは、例えばｍｉｃｒｏＳＤカードを選択するための「ｍｉｃｒｏＳＤカード」ボタン４２４を含む。
【００５２】
端末装置３００にはｍｉｃｒｏＳＤカードが装着されている。ユーザは、メディア選択画面４２０の「ｍｉｃｒｏＳＤカード」ボタン４２４を操作して、記録メディアの種類としてｍｉｃｒｏＳＤカードを選択する（図５に示すステップＳ１０００においてＹＥＳ）。「ｍｉｃｒｏＳＤカード」ボタン４２４が操作されると、画面は、図８に示すガイド画面４３０に遷移する。画面の遷移に応じて、メディア読込装置２４０を覆うシャッター部材２０２が回動して開放される。ガイド画面４３０は、メディア選択画面４２０で選択された記録メディアのメディア読込装置２４０への挿入方法を説明する説明画面領域４３２、及び、次の処理を開始するための「次へ」ボタン４３４を含む。印刷装置５０は、記録メディアがメディア読込装置２４０に挿入されるまで、ガイド画面４３０を表示した状態で待機する。記録メディアがメディア読込装置２４０に挿入され、「次へ」ボタン４３４が操作されると、印刷装置５０は記録メディアが挿入されたことを認識する（ステップＳ１０１０においてＹＥＳ）。印刷装置５０は、シャッター部材２０２を回動させて、当該シャッター部材２０２でメディア読込装置２４０を再び覆う。なお、メディア選択画面４２０で選択された記録メディアの種類と、実際にメディア読込装置２４０に挿入された記録メディアの種類とが異なる場合、印刷装置５０は、挿入された記録メディアの種類が違うことを通知するメッセージを操作パネル１０４に表示する。
【００５３】
メディア読込装置２４０は、挿入された記録メディアのデータを読込む（ステップＳ１０２０）。データの読込みが完了すると（ステップＳ１０３０においてＹＥＳ）、印刷装置５０は、印刷可能な画像データの一覧を操作パネル１０４に表示する。具体的には、図９に示すファイル選択画面４４０を操作パネル１０４に表示する（ステップＳ１０４０）。
【００５４】
図９を参照して、ファイル選択画面４４０は、印刷可能な画像データ（ファイル）を表示する領域４４２、領域４４２に表示されたファイルの中から選択されたファイルを表示する領域４４４、及び選択されたファイルの読込みを開始するためのボタン４４６を含む。
【００５５】
印刷装置５０はさらに、メディア読込装置２４０に挿入された記録メディア内に印刷アプリが作成した当該印刷アプリ専用の情報（印刷アプリ専用のフォルダ）が存在するか否かを判定する。印刷アプリ専用のフォルダが存在する場合（ステップＳ１０５０においてＹＥＳ）、印刷装置５０は、当該記録メディアが装着されていた端末装置３００には印刷アプリがインストールされていると判断して、図１０に示すメッセージ画面４５０を操作パネル１０４に表示する。
【００５６】
図１０を参照して、印刷装置５０は、印刷アプリがインストールされていることを通知するメッセージ画面４５０を、ファイル選択画面４４０上にポップアップ表示する（ステップＳ１０６０）。メッセージ画面４５０は、印刷アプリがインストールされていることを通知するメッセージを表示する領域４５２、及び、メッセージ画面４５０を消去するための「とじる」ボタン４５４を含む。領域４５２には、例えば「印刷アプリがインストールされています。アプリを使うと、スマートフォンからメディアを取外さなくても印刷することができます。」とのメッセージが表示される。
【００５７】
ユーザによって「とじる」ボタン４５４が操作されると（ステップＳ１０７０においてＹＥＳ）、印刷装置５０はメッセージ画面４５０を消去する（ステップＳ１０７０）。メッセージ画面４５０が消去されると、ファイル選択画面４４０が表示された状態になる。
【００５８】
メディア読込装置２４０に挿入された記録メディア内に印刷アプリが作成した印刷アプリ専用のフォルダが存在しない場合は（ステップＳ１０５０においてＮＯ）、メッセージ画面４５０は表示されない。
【００５９】
再び図９を参照して、ファイル選択画面４４０において、領域４４２に表示されたファイルの中から印刷を行なうファイルがユーザによって選択されると、印刷装置５０は選択されたファイルを領域４４４に表示する。ファイル選択画面４４０のボタン４４６がユーザによって操作されると、印刷装置５０は、領域４４４に表示されている選択されたファイルを読込んで印刷処理を実行する（ステップＳ１０９０）。
【００６０】
端末装置３００に印刷アプリがインストールされている場合、記録メディアを取外さずに、印刷アプリを利用して印刷する画像データを印刷装置５０に送信することが可能である。印刷アプリを利用して画像データを印刷装置５０に送信する場合は、図７に示されるメディア選択画面４２０において、無線通信ボタン４２２が選択されることになる。無線通信ボタン４２２が選択されると、印刷装置５０は、端末装置３００から画像データが送信されるまで待機する。端末装置３００から画像データが送信されると、印刷装置５０は送信された画像データを受信して印刷処理を実行する。
【００６１】
［本実施の形態の効果］
以上の説明から明らかなように、本実施の形態に係る印刷装置５０を利用することにより、以下に述べる効果を奏する。
【００６２】
記録メディアがメディア読込装置２４０に挿入されると、メディア読込装置２４０は、記録メディアに記憶されている情報を読込む。印刷装置５０は、挿入された記録メディア内に印刷アプリ専用のフォルダが存在するか否かを判定する。この判定結果が肯定の場合、すなわち、印刷アプリ専用のフォルダが存在する場合、印刷装置５０は、操作パネル１０４にメッセージ画面４５０を表示して、印刷アプリが端末装置３００にインストールされていることをユーザに通知する。端末装置３００のユーザは、この通知によって、自己が所有する端末装置３００が記録メディアを取外さずに印刷装置５０で印刷を行なうことが可能な装置であることを容易に認識できる。これにより、次回以降は記録メディアを取外すことなく端末装置３００の印刷アプリを利用して印刷を行なうようになることが期待できる。したがって、記録メディアの取外しによるデータの破損又は記録メディアの紛失等の危険が生じる可能性が低減する。ユーザはこうした危険を避けるために注意を払う必要がなくなるため、ユーザの利便性が向上する。
【００６３】
（第２の実施の形態）
本実施の形態に係る印刷装置は、メディア読込装置２４０に挿入された記録メディア内に印刷アプリが作成した印刷アプリ専用のフォルダが存在しない場合に、印刷アプリを端末装置３００にインストールすることを促す通知を行なう点において、第１の実施の形態に係る印刷装置５０とは異なる。その他の点では、各印刷装置は同一の構成である。
【００６４】
［ソフトウェア構成］
本実施の形態に係る印刷装置では、図５に示されるプログラムに代えて、図１１に示されるプログラムが実行される。図１１のプログラムは、図５のプログラムにおいて、ステップＳ１１００をさらに含む。
【００６５】
図１１を参照して、このプログラムは、ステップＳ１０５０において、挿入された記録メディア内に印刷アプリが作成したフォルダが存在しないと判定された場合に実行され、印刷アプリのインストールを促すためのメッセージ画面を操作パネル１０４に表示するステップＳ１１００を含む。ステップＳ１１００の処理が終了すると、制御はステップＳ１０７０に進む。
【００６６】
［動作］
本実施の形態に係る印刷装置は以下のように動作する。なお、記録メディア内に印刷アプリが作成したフォルダが存在しないと判定された場合の動作を除いた動作は、上記第１の実施の形態と同様である。したがって、同様の動作についての詳細な説明は繰返さない。
【００６７】
印刷装置は、メディア読込装置２４０に挿入された記録メディア内に印刷アプリが作成した当該印刷アプリ専用の情報（印刷アプリ専用のフォルダ）が存在するか否かを判定する。印刷アプリ専用のフォルダが存在しない場合（ステップＳ１０５０においてＮＯ）、印刷装置は、図１２に示すメッセージ画面４６０を操作パネル１０４に表示して、端末装置３００に印刷アプリをインストールするよう促す。
【００６８】
図１２を参照して、印刷装置は、印刷アプリをインストールすることによって記録メディアを取外さずに印刷できることをユーザに通知するメッセージ画面４６０を、ファイル選択画面４４０上にポップアップ表示する（ステップＳ１１００）。メッセージ画面４６０は、印刷アプリのインストールを促すメッセージを表示する領域４６２、及び、メッセージ画面４６０を消去するための「とじる」ボタン４６４を含む。領域４６２には、例えば「印刷アプリをインストールすると、スマートフォンからメディアを取外さなくても印刷することができます。ダウンロードはこちら：」とのメッセージ、及び印刷アプリのダウンロードサイトを示すアドレス（ＵＲＬ：Ｕｎｉｆｏｒｍ  Ｒｅｓｏｕｒｃｅ  Ｌｏｃａｔｏｒ）４６６が表示される。
【００６９】
ユーザによって「とじる」ボタン４６４が操作されると（ステップＳ１０７０においてＹＥＳ）、印刷装置はメッセージ画面４６０を消去する（ステップＳ１０８０）。メッセージ画面４６０が消去されると、ファイル選択画面４４０が表示された状態になる。
【００７０】
［作用・効果］
本実施の形態に係る印刷装置は、第１の実施の形態と同様の効果に加えて、以下に述べる効果をさらに奏する。
【００７１】
印刷アプリ専用のフォルダが記録メディア内に存在しない場合、印刷装置は、操作パネル１０４にメッセージ画面４６０を表示して、印刷アプリを端末装置３００にインストールするようユーザを促す。メッセージ画面４６０の表示によって、印刷アプリをインストールすることによって使い勝手が向上することをユーザに認識させることができる。これにより、端末装置３００のユーザが印刷アプリをインストールして、次回以降は記録メディアを取外すことなく印刷アプリを利用して印刷を行なうようになることが期待できる。したがって、記録メディアの取外しによるデータの破損又は記録メディアの紛失等の危険が生じる可能性が低減する。その結果、端末装置３００のユーザに対する利便性をより一層高めることができる。
【００７２】
（第３の実施の形態）
本実施の形態に係る印刷装置は、メディア読込装置２４０に挿入された記録メディアが予め定められた種類の記録メディアの場合にのみ、記録メディア内に印刷アプリが作成した印刷アプリ専用のフォルダが存在するか否かを判定する点において、第２の実施の形態に係る印刷装置とは異なる。その他の点では、各印刷装置は同一の構成である。
【００７３】
予め定められた種類の記録メディアとは、スマートフォン等の端末装置に装着可能な大きさ（種類）の記録メディアである。一般に、ｍｉｃｒｏＳＤカード、ＳＤカード等のサイズの小さいメモリカードは、スマートフォン等の端末装置に装着できるようになっている。一方、ＣＤ、ＤＶＤ等のディスクタイプの記録メディア、及び比較的サイズが大きいコンパクトフラッシュ（登録商標）等の記録メディアはスマートフォン等の端末装置には装着できない。
【００７４】
本実施の形態に係る印刷装置は、メディア読込装置２４０に挿入された記録メディアが予め定められた種類の記録メディアであるか否かを判定することによって、挿入された記録メディアがスマートフォン等の端末装置から取外された記録メディアの可能性があるか否かを判定する。印刷装置は、スマートフォン等の端末装置から取外された記録メディアの可能性がある場合にのみ、当該記録メディア内に印刷アプリ専用のフォルダが存在するか否かをチェックする。
【００７５】
［ソフトウェア構成］
本実施の形態に係る印刷装置では、図１１に示されるプログラムに代えて、図１３及び図１４に示されるプログラムが実行される。図１３及び図１４のプログラムは、図１１のプログラムにおいて、ステップＳ１２００をさらに含む。図１３及び図１４のステップＳ１０００〜ステップＳ１１００における処理は、図１１に示される各ステップにおける処理と同じである。以下、異なる部分について説明する。
【００７６】
図１３を参照して、このプログラムは、ステップＳ１０４０の後に実行され、メディア読込装置２４０に挿入された記録メディアが、スマートフォンに装着可能な種類の記録メディアであるか否かを判定し、判定結果に応じて制御の流れを分岐させるステップＳ１２００を含む。ステップＳ１２００において、メディア読込装置２４０に挿入された記録メディアがスマートフォンに装着可能な種類の記録メディアであると判定された場合は、制御はステップＳ１０５０に進む。一方、ステップＳ１２００において、メディア読込装置２４０に挿入された記録メディアがスマートフォンに装着可能な種類の記録メディアではないと判定された場合は、制御は図１４に示すステップＳ１０９０に進む。
【００７７】
［作用・効果］
本実施の形態に係る印刷装置は、第１及び第２の実施の形態と同様の効果に加えて、以下に述べる効果をさらに奏する。
【００７８】
メディア読込装置２４０に記録メディアが挿入されると、印刷装置は、挿入された記録メディアが予め定められた種類の記録メディア（スマートフォン等の端末装置に装着可能な種類の記録メディア）か否かを判定する。この判定結果が肯定の場合、すなわち、挿入された記録メディアが予め定められた種類の記録メディアである場合、印刷装置は、挿入された記録メディア内に印刷アプリ専用のフォルダが存在するか否かをチェックする。一方、この判定結果が否定の場合、すなわち、挿入された記録メディアが予め定められた種類の記録メディアではない場合、印刷装置は、挿入された記録メディア内に印刷アプリ専用のフォルダが存在するか否かのチェックを行なわない。この場合は、メッセージ画面４５０（図１０参照）又はメッセージ画面４６０（図１２参照）が操作パネル１０４に表示されない。
【００７９】
スマートフォン等の端末装置に装着可能な種類の記録メディアとは異なる種類の記録メディア（例えばＣＤ、ＤＶＤ又はコンパクトフラッシュ（登録商標）等）に対して、印刷アプリ専用のフォルダが存在するか否かのチェックを行なってメッセージ表示を行なうことは無意味であり、ユーザに対して無駄な操作を強いることになる。
【００８０】
本実施の形態では、スマートフォン等の端末装置に装着可能な種類の記録メディアとは異なる種類の記録メディアがメディア読込装置２４０に挿入された場合は、当該記録メディア内に印刷アプリ専用のフォルダが存在するか否かのチェックをスキップする。メッセージ画面４５０又はメッセージ画面４６０が操作パネル１０４に表示されることがないため、メッセージ画面を消去する手間が省かれる。このように、本印刷装置では、無意味なメッセージ表示が行われないため、操作性の低下が抑制される。
【００８１】
（変形例）
上記実施の形態では、印刷装置の一例である複合機（ＭＦＰ）に本発明を適用した例について示したが、本発明はそのような実施の形態には限定されない。印刷装置は、複合機以外の例えばプリンタ等であってもよい。
【００８２】
上記実施の形態では、コンビニエンスストア等の店舗に設置されている印刷装置に本発明を適用した例について示したが、本発明はそのような実施の形態には限定されない。印刷装置は、店舗以外の例えばオフィス等に設置されている印刷装置であってもよい。
【００８３】
上記実施の形態では、拡張ユニットを含む印刷装置について示したが、記録メディアの情報を読込むメディア読込装置を備えていれば、印刷装置は拡張ユニットを含まない構成であってもよい。
【００８４】
上記実施の形態では、複数種類の記録メディアに対応したメディア読込装置を含む印刷装置について示したが、メディア読込装置は、少なくとも１種類の記録メディアの情報を読込むことが可能な装置であればよい。この場合、読込可能な記録メディアは、端末装置に装着可能な種類の記録メディアであるのが好ましい。
【００８５】
上記実施の形態では、印刷装置と無線通信を行なう端末装置の一例としてスマートフォンを示したが、本発明はそのような実施の形態には限定されない。印刷装置と無線通信を行なう端末装置は、スマートフォン以外の端末装置であってもよい。そうした端末装置としては、例えば、タブレット端末、ノート型ＰＣ、デジタルカメラ等が挙げられる。
【００８６】
上記実施の形態では、印刷装置と端末装置とがＷｉ−Ｆｉ等の無線ＬＡＮ回線を介して互いに接続される例について示したが、本発明はそのような実施の形態には限定されない。印刷装置と端末装置とは、Ｗｉ−Ｆｉ以外の無線ＬＡＮ回線を介して接続される構成であってもよいし、無線ＬＡＮ以外の無線通信方式で接続される構成であってもよい。
【００８７】
上記実施の形態では、端末装置に装着されている記録メディアに印刷アプリが作成した自信専用のフォルダを、当該印刷アプリがインストールされていることを示す情報の例として示したが、本発明はそのような実施の形態には限定されない。端末装置に印刷アプリがインストールされていることを印刷装置側で識別可能とする情報であれば、当該情報はフォルダ以外であってもよい。印刷アプリが端末装置にインストールされていることを示す情報は、例えば、印刷アプリが記録メディア内に作成した特定のファイル等であってもよい。
【００８８】
上記実施の形態では、印刷アプリのインストールを促すメッセージ画面に、当該印刷アプリのダウンロードサイトを示すアドレス（ＵＲＬ）を表示する例について示したが、本発明はそのような実施の形態には限定されない。例えば、ダウンロードサイトを示すアドレスに代えて、当該ダウンロードサイトのアドレス（ＵＲＬ）が記録されたＱＲコード（登録商標）等の端末装置で読取可能な識別コードを表示するようにしてもよい。
【００８９】
上記実施の形態では、操作パネルにメッセージ画面を表示することによって、印刷アプリが端末装置にインストールされていること、又は、印刷アプリを端末装置にインストールすれば記録メディアを取外さずに印刷を行なえることを、端末装置のユーザに通知する例について示したが、本発明はそのような実施の形態には限定されない。例えば、メッセージ画面の表示に代えて、音声等により、上記の通知を行なうようにしてもよい。
【００９０】
上記実施の形態では、メッセージ画面の「とじる」ボタンの操作によって当該メッセージ画面が消去する例について示したが、本発明はそのような実施の形態には限定されない。例えば、一定時間の経過後に自動的にメッセージ画面が消去するような構成であってもよい。
【００９１】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【００９２】
５０                      印刷装置
１０４                    操作パネル
１０６                    画像形成部
１１０                    ＣＰＵ
１１２                    ＲＯＭ
１１４                    ＲＡＭ
１１６                    記憶装置
１１８                    印刷データ解析部
１２０                    印刷出力制御部
１２６                    通信装置
２４０                    メディア読込装置
２５０〜２６０            スロット部
３００                    端末装置
３１０                    メディア装着部
４２０                    メディア選択画面
４３０                    ガイド画面
４４０                    ファイル選択画面
４５０、４６０            メッセージ画面
【図１】
2016066869.tif 000003
【図２】
2016066869.tif 000004
【図３】
2016066869.tif 000005
【図４】
2016066869.tif 000006
【図５】
2016066869.tif 000007
【図６】
2016066869.tif 000008
【図７】
2016066869.tif 000009
【図８】
2016066869.tif 000010
【図９】
2016066869.tif 000011
【図１０】
2016066869.tif 000012
【図１１】
2016066869.tif 000013
【図１２】
2016066869.tif 000014
【図１３】
2016066869.tif 000015
【図１４】
2016066869.tif 000016